(57)【要約】      （修正有）【課題】コンピュータ装置に接続しなくてもＬＥＤの発光を利用することができる外部記憶装置を提供する。【解決手段】コネクタを有し、該コネクタによりコンピュータ装置と接続してデータのアクセスをする外部記憶装置であって、外部電源から直接電力を導入する他のコネクタと、前記他のコネクタと接続し、該他のコネクタを介して外部電源から電力を受けて外へ発光することができる光源発生部とを備えていることを特徴とする外部記憶装置。【選択図】図４
0003113076.tif 000002
【実用新案登録請求の範囲】
【請求項１】
コネクタを有し、該コネクタによりコンピュータ装置と接続してデータのアクセスをする外部記憶装置であって、外部電源から直接電力を導入する他のコネクタと、前記他のコネクタと接続し、該他のコネクタを介して外部電源から電力を受けて外へ発光することができる光源発生部とを備えていることを特徴とする外部記憶装置。
【請求項２】
コネクタを有し、該コネクタによりコンピュータ装置と接続してデータのアクセスをする外部記憶装置であって、外部電源から直接電力を導入する他のコネクタと、前記他のコネクタと接続していて前記外部電源から電力を受けて外へ投光する照明手段と、前記コネクタがコンピュータ装置と接続したときに、前記コンピュータ装置を通して外部電源から電力を受け、前記コンピュータ装置の読み書き状態を点滅で外へ表示する状態表示ランプとを備えていることを特徴とする外部記憶装置。
【請求項３】
コネクタを有し、該コネクタによりコンピュータ装置と接続してデータのアクセスをする外部記憶装置であって、外部電源から直接電力を導入する他のコネクタと、前記他のコネクタと接続し、該他のコネクタを介して前記外部電源から電力を受けて外へ発光することができる光源発生部とを備えており、且つ、前記外部記憶装置を下から平面上に支えるための台座を有し、前記光源発生部が該台座の近くに設置されていることを特徴とする外部記憶装置。
【請求項４】
コネクタを有し、該コネクタによりコンピュータ装置と接続してデータのアクセスをする外部記憶装置であって、外部電源から直接電力を導入する他のコネクタと、前記他のコネクタと接続していて前記外部電源から電力を受けて外へ投光する照明手段と、前記コネクタがコンピュータ装置と接続したときに、該コンピュータ装置を通して外部電源から電力を受け、該コンピュータ装置の読み書き状態を点滅で外へ表示する状態表示ランプとを備えており、且つ、前記外部記憶装置を下から平面上に支えるための台座を有し、前記照明手段が該台座の近くに設置されていることを特徴とする外部記憶装置。
【請求項５】
前記状態表示ランプも前記台座の近くに設置されていることを特徴とする請求項４に記載の外部記憶装置。
【請求項６】
請求項４に記載の外部記憶装置が長方体であり、
前記台座が、前記長方体の下面の長手方向に沿って前記台座の両端が段々該下面から遠ざかっていくアーク状のように延伸しており、
前記台座には、前記台座の両端近くで前記長方体の両端近くを支えつつ、前記台座の両側で前記長方体の両側を挟む長穴が設けられており、
前記照明手段を少なくとも二つ有し、該照明手段のそれぞれが前記長方体の下面の長手方向の両端側に、前記長穴を通して外へ互いに斜めに交差して投光することができるように設置されていることを特徴とする外部記憶装置。
【請求項７】
請求項４に記載の外部記憶装置がコンピュータ装置への接続の方向に沿って延伸する長方体であり、
前記照明手段を少なくとも二つ有し、前記照明手段のそれぞれが前記長方体の前記延伸方向に平行した対向する２側面の前記長方体自体の両側に投光することができるように設置されていることを特徴とする外部記憶装置。
【請求項８】
請求項４に記載の外部記憶装置がコンピュータ装置への接続の方向に沿って延伸する長方体であり、
前記長方体の前記延伸方向に平行した対向する２側面のそれぞれに、該延伸方向に沿って延伸しているリブ及び前記各リブに形成された盲穴が形成されており、前記照明手段が前記各盲穴に少なくとも一つずつ設置されていることを特徴とする外部記憶装置。
【考案の詳細な説明】
【技術分野】
【０００１】
本考案は、外部記憶装置に関し、詳しくはコネクタを有し、それによりコンピュータ装置と接続してデータのアクセスをする外部記憶装置に関する。
【背景技術】
【０００２】
最近市場に出回っている外部記憶装置、例えばハードディスク装置やフロッピー（登録商標）ディスク装置、光磁気ディスク装置、ライタ装置などは、小型且つ軽量である上、パソコンや、ノードパソコンなどに接続することだけで機能できるプラグ−アンド−プレイという便利性があるので、利用者が容易にそれを携え、外出先で情報の処理をすることができる。そのため、近頃、目覚しい成長を奏した。
【０００３】
図１は、この種の外部記憶装置の従来の一例である。従来の外部記憶装置１は、コネクタ（図示せず）を有し、それにより更に伝送ライン（図示せず）を介してコンピュータ装置（図示せず）と接続した場合、コンピュータ装置を通して外部電源から電力を受けて、その電源のオン／オフ状態をＬＥＤ（発光ダイオード）１１の点燈で表示することができると共に、コンピュータ装置からのデータの読み書き状態をも、ＬＥＤ１２の点滅で表示することができる。
【考案の開示】
【考案が解決しようとする課題】
【０００４】
しかしながら、前記従来の外部記憶装置は、前記ＬＥＤがコンピュータ装置に接続してコンピュータ装置を通して外部電源から電力を受けた場合のみに稼働することができるという欠点があるばかりでなく、その機能が電源のオン／オフ及びコンピュータ装置からのデータの読み書き状態を表示することに限られるという欠点もある。
【０００５】
本考案は、前記欠点を克服するためになされたもので、コンピュータ装置に接続しなくてもＬＥＤの発光を利用することができる外部記憶装置を提供することを第１の目的とする。
【０００６】
前記発光の利用方法には、なんら制限がないが、通常は、照明や展示販売中の外部記憶装置を装飾することに好ましいと考えられる。
【０００７】
また、前記発光は、外部記憶装置自体の外形の設計と合わせて装置全体の美感を添える効果もあるので、そのような外部記憶装置をも提供することを第２の目的とする。
【課題を解決するための手段】
【０００８】
前記第１の目的を達成するために、本考案は、コネクタを有し、該コネクタによりコンピュータ装置と接続してデータのアクセスをする外部記憶装置であって、外部電源から直接電力を導入する他のコネクタと、前記他のコネクタと接続し、該他のコネクタを介して外部電源から電力を受けて外へ発光することができる光源発生部とを備えていることを特徴とする第１の外部記憶装置を提供する。
【０００９】
前記第２目的を達成するために、本考案は、コネクタを有し、該コネクタによりコンピュータ装置と接続してデータのアクセスをする外部記憶装置であって、外部電源から直接電力を導入する他のコネクタと、前記他のコネクタと接続し、該他のコネクタを介して前記外部電源から電力を受けて外へ発光することができる光源発生部とを備えており、且つ、前記外部記憶装置を下から平面上に支えるための台座を有し、前記光源発生部が該台座の近くに設置されていることを特徴とする第２の外部記憶装置を提供する。
【００１０】
また、前記光源発生部は、前記他のコネクタと接続していて外部電源から電力を受けて外へ投光する、主に照明手段としてのものと、前記コネクタがコンピュータ装置と接続した場合、コンピュータ装置を通して外部電源から電力を受け、コンピュータ装置の読み書き状態を点滅で外へ表示する、主に状態表示ランプとしてのものとを備えているものが好ましい。
【考案の効果】
【００１１】
前記第１の外部記憶装置は、コンピュータ装置と接続した場合に、その光源発生部が表示機能を果たすことは言うまでもなく、しかも、コンピュータ装置と接続していない場合に、前記他のコネクタが設けられているので、コンピュータ装置を通さなくても外部電源から直接電力を導入して外へ発光し、それ自体が目立つものになったり独立な照明器具として利用されたりすることができる。
【００１２】
前記第２の外部記憶装置は、前記第１の外部記憶装置の構造に加えて、それを下から平面上に支えるための台座を有し、前記光源発生部が該台座の近くに設置されているので、従来の外部記憶装置の定められた外形を一新したばかりでなく、前記光源発生部の配置によって美しく投光してモダン感を漂わせることもできる。
【考案を実施するための最良の形態】
【００１３】
以下、図面に基づいて本考案の実施形態を詳細に説明する。
【００１４】
図２は、本考案にかかる外部記憶装置の第１実施形態がコンピュータ装置と接続した時の斜視図である。図３は、該実施形態の全体を示す部分分解斜視図である。図４は、該実施形態における照明手段及び状態表示ランプを示す分解斜視図である。図５は、図４の照明手段を取り付けるための導光板の拡大斜視図である。図６は、図５のＡ−Ａ線に沿う断面図であって、該導光板と照明手段との配置関係を示している。図７は、図４の状態表示ランプを取り付けるための導光板の拡大斜視図である。図８は、図７のＢ−Ｂ線に沿う断面図であって、該導光板と状態表示ランプとの配置関係を示している。
【００１５】
本考案にかかる外部記憶装置３は、図２，３及び４に示すように、主として外部電源から直接電力を導入するコネクタ３１と、コネクタ３１と接続していてそれを介して外部電源から電力を受けて外へ発光することができる光源発生部３２と、従来のように伝送ライン６を介してそれらのいずれか一つによりコンピュータ装置２のコネクタ２１と接続してデータのアクセスをするＵＳＢ（universal serial bus）コネクタ３３及びＩＥＥＥ１３９４（Institute of Electrical and Electronics Engineers １３９４）コネクタ３４などを備えている。ここで、外部記憶装置３は、ハードディスク装置（ＨＤＤ）のようなデータストレージであるが、それに限定されず、他のフロッピー（登録商標）ディスク装置、光磁気ディスク装置、フラッシュメモリーなどであってもよい。なお、外部記憶装置３のデータ伝送のインターフェース規格は、前記ＵＳＢ、ＩＥＥＥ１３９４のほかに、Ｓ-ＡＴＡ（Serial AT Attachment）や、 ＰＣＩ（Peripheral Component Interconnect） Express、有線または無線のネットワークインターフェースなども適用に選択される。
【００１６】
第１実施形態においては、前記光源発生部３２はＬＥＤである照明手段３２１と状態表示ランプ３２２とを備えている。照明手段３２１は、コネクタ３１と接続していて外部電源から電力を受けて外へ投光することができるように配線されている（その配線は前記従来例の電源のオン／オフ状態をＬＥＤの点燈で表示することと同様であるので、その詳細を省く）。前記コネクタ３１は、スイッチ３５１を有する回路基板３５に設けられていて、このスイッチ３５１のオン／オフ状態によって、外部電源からの電力の導入有無が制御される。また、通常アダプターを利用して外部電源に接続される。
【００１７】
状態表示ランプ３２２は、ＵＳＢコネクタ３３あるいはＩＥＥＥ１３９４コネクタ３４がコンピュータ装置２と接続した場合に、コンピュータ装置２を通して外部電源から電力を受け、コンピュータ装置２の読み書き状態を点滅で外へ表示することができるように配線されている（その配線はコンピュータ装置からのデータの読み書き状態をＬＥＤの点滅で表示する前記従来例と同様であるので、その詳細を省く）。
【００１８】
更に、本実施形態には、外部記憶装置３を下から平面上に支えるための台座５を有し、照明手段３２１も状態表示ランプ３２２も該台座５の近くに設置されている。詳細に説明すると、外部記憶装置３自体は長方体であり、また、台座５は前記長方体の下面３６の長手方向に沿ってその両端５３、５３が段々該下面３６から遠ざかっていくアーク状のように延伸している。台座５には、その両端５２ａ、５２ａ近くで前記長方体の両端を支えながらその両側５２ｂ、５２ｂで前記長方体の両側を挟むような長穴５２が開けてある。照明手段３２１は、図５に示す透明の第１の導光板３２３を介して前記長方体の下面３６の長手方向の両端側に設置されている。また、状態表示ランプ３２２は、図７に示す透明の第２の導光板３２４を介して前記長方体の下面３６に、長穴５２を通して外へ投光することができるように設置されている。
【００１９】
これらの導光板３２３、３２４は、照明手段３２１及び状態表示ランプ３２２の装着方位によってその投光を所定の方向に導く導光孔３２５、３２６を有するので、照明手段３２１及び状態表示ランプ３２２の投光を方向性があると見えるようにさせることができる。本実施形態における照明手段３２１は二つあり、第１の導光板３２３を介して外へ互いに斜めに交差して投光することができるように設置されている（図６を参照のこと。）。一方、本実施形態における状態表示ランプ３２２は、第２の導光板３２４を介して外へ垂直に投光することができるように設置されている（図８を参照のこと。）。
【００２０】
次に、本考案にかかる外部記憶装置の第２実施形態を図９及び図１０を参照して説明する。図９は、本考案にかかる外部記憶装置の第２実施形態の斜視図である。図１０は、図９の側面図である。
【００２１】
本考案にかかる外部記憶装置の第２実施形態の構造は、ほぼ第１実施形態のと同じだが、その相違点は、外部記憶装置自体がコンピュータ装置２への接続の方向に沿って延伸する長方体であり、また、前記長方体の前記延伸方向に平行し対向する２側面３７、３７に、それぞれ該延伸方向に沿って延伸しているリブ３７１及び各リブ３７１に形成された盲穴３７２が形成してあり、照明手段３２１が各盲穴３７２に一つずつ設置されていることにある。これによって、照明手段３２１は、前記外部記憶装置自体の両側に投光することができるようになった。
【００２２】
以上、本考案の好適な実施形態について説明したが、本考案は前記実施形態に限定されず、本考案の精神の範囲内において種々の変形や変更が可能であることは言うまでもない。
【産業上の利用可能性】
【００２３】
以上説明したように、本考案の外部記憶装置は、コンピュータ装置を通さなくても外部電源から直接電力を導入して外へ発光し、それ自体目立つものになったり独立な照明器具として利用したりすることができる。更に、従来の外部記憶装置の定められた外形を一新したばかりでなく、前記光源発生部の配置によって美しく投光してモダン感を漂わせることもできるので、照明や展示販売に適している。
【図面の簡単な説明】
【００２４】
【図１】図１は、外部記憶装置の従来の一例の斜視図である。
【図２】図２は、本考案にかかる外部記憶装置の第１実施形態がコンピュータ装置と接続した時の斜視図である。
【図３】図３は、該実施形態の全体を示す部分分解斜視図である。
【図４】図４は、該実施形態における照明手段及び状態表示ランプを示す分解斜視図である。
【図５】図５は、図４の照明手段を取り付けるための導光板の拡大斜視図である。
【図６】図６は、図５のＡ−Ａ線に沿う断面図である。
【図７】図７は、図４の状態表示ランプを取り付けるための導光板の拡大斜視図である。
【図８】図８は、図７のＢ−Ｂ線に沿う断面図である。
【図９】図９は、本考案にかかる外部記憶装置の第２実施形態の斜視図である。
【図１０】図１０は、図９の側面図である。
【符号の説明】
【００２５】
２        コンピュータ装置
２１      コネクタ
３        外部記憶装置
３１      コネクタ
３２      光源発生部
３２１    照明手段
３２２    状態表示ランプ
３２３    第１の導光板
３２４    第２の導光板
３２５    導光孔
３２６    導光孔
３３      ＵＳＢコネクタ
３４      ＩＥＥＥ１３９４コネクタ
３５      回路基板
３５１    スイッチ
３６     （長方体の）下面
３７      側面
３７１    リブ
３７２    盲穴
５        台座
５２      長穴
５２ａ   （長穴の）両端
５２ｂ   （長穴の）両側
５３     （台座の）両端
６        伝送ライン
【図１】
0003113076.tif 000003
【図２】
0003113076.tif 000004
【図３】
0003113076.tif 000005
【図４】
0003113076.tif 000006
【図５】
0003113076.tif 000007
【図６】
0003113076.tif 000008
【図７】
0003113076.tif 000009
【図８】
0003113076.tif 000010
【図９】
0003113076.tif 000011
【図１０】
0003113076.tif 000012